(57)【要約】  本発明は、金属から成るイオン又は分子種の少なくとも１つの濃度を減少させるシステム、方法および装置に関する。本発明の１実施態様としては、電気化学的装置（１００）は、連結されている第１及び第２電極（１３０及び１４０）から成る。金属トラップ（１６０）は、電気化学的装置によって発生した、電極の周囲の金属から成るイオン又は分子種の少なくとも１つの濃度を減少させる様に構成される。１実施態様において、電気化学的装置（１００）は流体送達装置に組み込まれる。
2009501619.tif 000002
【特許請求の範囲】
【請求項１】
第１電極と、当該第１電極と対をなす第２電極と、金属トラップとから成る電気化学的装置であって、金属トラップは、少なくとも１つの電極近傍の溶液中に、電気化学的装置によって発生した金属から成るイオン又は分子種の少なくとも１つの濃度を減少させる様に構成されていることを特徴とする電気化学的装置。
【請求項２】
金属トラップが、溶液中の可溶金属イオンの濃度を減少させる様に構成されている金属イオントラップである請求項１に記載の電気化学的装置。
【請求項３】
金属トラップが、溶液中の金属塩化物の濃度を減少させる様に構成されている請求項２に記載の電気化学的装置。
【請求項４】
金属トラップが、電気化学的装置の内壁面に存在する塗膜である請求項１に記載の電気化学的装置。
【請求項５】
塗膜が酸化銀である請求項４に記載の電気化学的装置。
【請求項６】
金属トラップが、可溶金属イオンを不溶物質に化学的に変換する機能を有する請求項１に記載の電気化学的装置。
【請求項７】
金属トラップが、金属から成る少なくとも１つのイオン種または分子種をゼラチン化する機能を有する請求項１に記載の電気化学的装置。
【請求項８】
金属トラップが、少なくとも１つの電極の近傍に位置するゲルから成る請求項１に記載の電気化学的装置。
【請求項９】
電気化学的装置が電源を有する請求項１に記載の電気化学的装置。
【請求項１０】
更に、第１電極と第２電極との間にイオン交換膜を有する請求項１に記載の電気化学的装置。
【請求項１１】
イオン交換膜が陰イオン交換膜である請求項１０に記載の電気化学的装置。
【請求項１２】
電気化学的装置が流体送達装置である請求項１０に記載の電気化学的装置。
【請求項１３】
電気化学的装置が埋め込み可能な流体送達装置である請求項１２に記載の電気化学的装置。
【請求項１４】
更に、第１電極と第２電極とが抵抗によって連結されている請求項１に記載の電気化学的装置。
【請求項１５】
ポートを有する流体室と、流体室を少なくとも部分的に仕切る可動部材と、流体室のポートから流体を送出する様に可動部材に力を負荷する様に構成された電気化学的装置と、金属トラップとから成る電気化学的流体送達装置であって、金属トラップが、少なくとも１つの電極近傍の溶液中に、電気化学的装置によって発生した金属から成るイオン又は分子種の少なくとも１つの濃度を減少させる様に構成されていることを特徴とする電気化学的流体送達装置。
【請求項１６】
金属トラップが、溶液中の可溶金属イオンの濃度を減少させる様に構成されている金属イオントラップである請求項１５に記載の電気化学的流体送達装置。
【請求項１７】
金属トラップが、電気化学的装置の内壁面に存在する塗膜である請求項１５に記載の電気化学的流体送達装置。
【請求項１８】
塗膜が酸化銀である請求項１６に記載の電気化学的流体送達装置。
【請求項１９】
金属トラップが、可溶金属イオンを不溶物質に化学的に変換する機能を有する請求項１５に記載の電気化学的流体送達装置。
【請求項２０】
金属トラップが、金属から成る少なくとも１つのイオン種または分子種をゼラチン化する機能を有する請求項１５に記載の電気化学的流体送達装置。
【請求項２１】
金属トラップがゲルから成る請求項１５に記載の電気化学的流体送達装置。
【請求項２２】
更に、第１の電極と、可動部材に近接して設置され、第１の電極と電気的に連結している第２の電極と、第１の電極と第２の電極との間に設置されるイオン交換膜を有する請求項１５に記載の電気化学的流体送達装置。
【請求項２３】
第１の電極と第２の電極とが抵抗によって電気的に連結している請求項２２に記載の電気化学的流体送達装置。
【請求項２４】
イオン交換膜が陽イオン交換膜である請求項２２に記載の電気化学的流体送達装置。
【請求項２５】
人体に埋め込む様に構成されている請求項１５に記載の電気化学的流体送達装置。
【請求項２６】
可動部材がピストンである請求項１５に記載の電気化学的流体送達装置。
【請求項２７】
流体を貯蔵するための流体貯蔵手段と、流体貯蔵手段から定常的に流体を送出するための流体移送手段と、電気化学的装置によって発生した金属から成るイオン又は分子種の少なくとも１つの濃度を減少させる濃度低減手段とから成る電気化学的流体送達装置。
【請求項２８】
濃度低減手段が、電気化学的装置によって発生した溶液中の可溶金属イオンの濃度を低減させる手段である請求項２７に記載の電気化学的流体送達装置。
【請求項２９】
可溶金属イオンの濃度を低減させる手段が、電気化学的流体送達装置の内壁面に存在する塗膜である請求項２８に記載の電気化学的流体送達装置。
【請求項３０】
塗膜が酸化銀である請求項２９に記載の電気化学的流体送達装置。
【請求項３１】
可溶金属イオンの濃度を低減させる手段が、可溶金属イオンを不溶物質に化学的に変換する機能を有する請求項２８に記載の電気化学的流体送達装置。
【請求項３２】
可溶金属イオンの濃度を低減させる手段が、金属イオンをゼラチン化する機能を有する請求項２８に記載の電気化学的流体送達装置。
【請求項３３】
流体移送手段がピストンである請求項２７に記載の電気化学的流体送達装置。
【請求項３４】
流体移送手段が、更にピストンに対して力を負荷するように構成された電気化学的装置を有する請求項３３に記載の電気化学的流体送達装置。
【請求項３５】
流体室と、流体室から直接流体を送出できる様に流体室に世知され、流体室との流路関係を形成するポートと、流体室内をスライド状に可動できる様に配置されるピストンと、電気浸透圧エンジンとから成る電気化学的流体送達装置であって、電気浸透圧エンジンは、活性金属電極と、当該活性金属電極と対をなす金属塩化物電極と、溶液中の電気浸透圧エンジンによって発生する可溶金属イオンの濃度を減少させる様に構成された金属イオントラップとから成ることを特徴とする電気化学的流体送達装置。
【発明の詳細な説明】
【技術分野】
【０００１】
本発明は、２００５年７月１５日出願の米国仮特許出願６０／７０００２４号（発明の名称：金属または金属塩化物トラップを有する電気浸透圧流体送達装置）の米国特許庁に提出した仮出願に基づく優先権を主張した出願であり、本発明に参照として引用される。
【背景技術】
【０００２】
本発明のシステム、装置、方法に係わる各構成要素を有する流体送達装置の例としては、米国特許第５７４４０１４号明細書（発明の名称：流体送達用貯蔵安定な電気化学的ガス発生装置）、米国特許第５７０７４９９号明細書（発明の名称：水素ガス発生装置を使用した貯蔵安定な流体送達装置）、米国特許出願公開第２００３／０２０５５８２号明細書（発明の名称：陰イオン交換膜を有する電気化学的ポンプを有する流体送達装置および流体送達方法）、などが挙げられる。
【０００３】
【特許文献１】米国特許第５７４４０１４号
【特許文献２】米国特許第５７０７４９９号明細書
【特許文献３】明細書米国特許出願公開第２００３／０２０５５８２号明細書
【発明の開示】
【発明が解決しようとする課題】
【０００４】
本発明の目的は、電気化学的装置によって発生した金属から成るイオン又は分子種の少なくとも１つの濃度を減少させる流体送達に関するシステム、方法および装置を提供することである。
【課題を解決するための手段】
【０００５】
本発明の要旨は、第１電極と、当該第１電極と対をなす第２電極と、金属トラップとから成る電気化学的装置であって、金属トラップは、少なくとも１つの電極近傍の溶液中に、電気化学的装置によって発生した金属から成るイオン又は分子種の少なくとも１つの濃度を減少させる様に構成されていることを特徴とする電気化学的装置に存する。
【０００６】
本発明の他の要旨は、ポートを有する流体室と、流体室を少なくとも部分的に仕切る可動部材と、流体室のポートから流体を送出する様に可動部材に力を負荷する様に構成された電気化学的装置と、金属トラップとから成る電気化学的流体送達装置であって、金属トラップが、少なくとも１つの電極近傍の溶液中に、電気化学的装置によって発生した金属から成るイオン又は分子種の少なくとも１つの濃度を減少させる様に構成されていることを特徴とする電気化学的流体送達装置に存する。
【０００７】
本発明の他の要旨は、流体を貯蔵するための流体貯蔵手段と、流体貯蔵手段から定常的に流体を送出するための流体移送手段と、電気化学的装置によって発生した金属から成るイオン又は分子種の少なくとも１つの濃度を減少させる濃度低減手段とから成る電気化学的流体送達装置に存する。
【０００８】
本発明の他の要旨は、流体室と、流体室から直接流体を送出できる様に流体室に世知され、流体室との流路関係を形成するポートと、流体室内をスライド状に可動できる様に配置されるピストンと、電気浸透圧エンジンとから成る電気化学的流体送達装置であって、電気浸透圧エンジンは、活性金属電極と、当該活性金属電極と対をなす金属塩化物電極と、溶液中の電気浸透圧エンジンによって発生する可溶金属イオンの濃度を減少させる様に構成された金属イオントラップとから成ることを特徴とする電気化学的流体送達装置に存する。
【発明の効果】
【０００９】
本発明の、流体送達に関するシステム、方法および装置は、電気化学的装置によって発生した金属から成るイオン又は分子種の少なくとも１つの濃度を減少させる様に構成され、流体送達装置に関連した電気浸透圧エンジン等の電気化学的エンジンの作動において、好ましくない浸透圧の影響を防止することが出来、装置の起動および停止時間を改良することが出来、体内の装置の使用部分に金属イオンを露出することを防止でき、毒物学的、組織応答学的、カプセル化、たんぱく質の相互作用などの観点から有用である。
【発明を実施するための最良の形態】
【００１０】
本発明を以下に示す図面を使用して説明するが、これらの図面は本発明の好ましい実施態様を示すものであり、本発明はこれらの図面に記載の実施態様に限定されるものではなく、これらの図面を介して更に種々の具体的実施態様が記載され、説明されると考えるべきである。
【００１１】
また、以下に記載する具体的な好ましい態様を介して、種々の具体的態様が与えられると考えられるべきである。そして、当業者ならば、更に具体的な記載を必要とせずに実施態様を実施することが出来、また、他の方法、構成要素、材料などを用いて実施することが出来る。いくつかの事例においては、好ましい実施態様の要旨を曖昧にすることを避けるために、よく知られた構造、材料、操作などを記載していない。更に、記載された要旨、構造、性質などは適当な方法により、種々の組合せ、交換が可能である。
【００１２】
本発明は、電気化学的装置によって発生した金属から成るイオン又は分子種の少なくとも１つの濃度を減少させる様に構成された流体送達に関するシステム、方法および装置に関する。ある実施態様において、流体送達装置に関連した電気浸透圧エンジン等の電気化学的エンジンの作動において、好ましくない浸透圧の影響を防止することが出来る。この実施態様を使用することにより、装置の起動および停止時間を改良することが出来る。ある実施態様において、埋め込み型流体送達装置または埋め込み型電源などの埋め込み型装置において、体内の装置の使用部分に金属イオンを露出することを防止する。毒物学的、組織応答学的、カプセル化、たんぱく質の相互作用などの観点から有用である。
【００１３】
本発明のシステム、装置、方法に係わる各構成要素を有する流体送達装置の例としては、米国特許第５７４４０１４号明細書（発明の名称：流体送達用貯蔵安定な電気化学的ガス発生装置）、米国特許第５７０７４９９号明細書（発明の名称：水素ガス発生装置を使用した貯蔵安定な流体送達装置）、米国特許出願公開第２００３／０２０５５８２号明細書（発明の名称：陰イオン交換膜を有する電気化学的ポンプを有する流体送達装置および流体送達方法）、などが挙げられ、本発明に参照により引用する。
【００１４】
Ｚｎ／ＡｇＣｌ２電極系に基づく多くの実施態様を以下に示すが、上述の文献に記載されている様な種々の電極系にも応用できると考えるべきである。また、本発明は、アニオン電気動力学的（ＡＮＥＫ）システム及びカチオン電気動力学的（ＣＡＴＥＫ）システムに使用できるだけでなく、埋め込み型電源の様な他のシステムにも使用できる。これらのシステムについては以下に詳述する。
【００１５】
本発明を更に図面を用いて詳細に説明する。図１は、アニオン電気動力学的システムの流体送達装置１００の１実施態様を示す。流体送達装置１００は流体室１１０を有する。流体室１１０は、流体室１１０内に貯蔵される流体を送出するためのポート１１５を有する。ある実施態様において、ポート１１５は、カテーテル、チューブ又は他の流体送出部材と連結していてもよい。可動部材１２０は、流体室１１０内に貯蔵する流体をポート１１５を介して送出できる様に流体室１１０内に配置される。図１において可動部材１２０はピストンであるが、流体室１１０内に貯蔵する流体を送出できる様に構成されていれば、袋、蛇腹、隔膜などの他の種々の可動部材も使用できる。
【００１６】
流体送達装置１００は、更に、流体室ポート１１５から流体を送出するためにピストン１２０に圧力を負荷する様に構成された電気化学的装置を有する。図１に示す電気化学的装置はＡＮＥＫシステムである。電気化学的装置は、例えば亜鉛などから成る活性金属電極１３０を有する。第２電極１４０は例えば塩化銀から成る。第１電極１３０と第２電極１４０とは、回路１４５を介して連結されている。回路１４５は抵抗または他の電気回路から成っている。ある実施態様において、電気化学的装置を作動させた際の駆動レートを種々取り得るように、抵抗を取り換え可能または調節可能である。イオン交換膜１５０は２つの電極間に配置される。図１の実施態様において、イオン交換膜１５０は陰イオン交換膜である。
【００１７】
流体送達装置１００の作動中、第１電極１３０及び第２電極１４０において以下の式（１）に示す反応が起こる。
【００１８】
２ＡｇＣｌ  ＋  ２ｅ−  →  ２Ａｇ  ＋  ２Ｃｌ−  （１）
【００１９】
形成される塩素イオンは、水に可溶であり、電気化学的装置の作動により生じる電場の影響により、ピストン１２０に近接した活性金属電極１３０に向けて陰イオン交換膜１５０を介して滲み出す。活性金属電極１３０において、亜鉛は以下の式（２）に示す様に溶解する。
【００２０】
Ｚｎ  →  Ｚｎ２＋  ＋  ２ｅ−  （２）
【００２１】
亜鉛イオンは、流入してきた塩素イオンと以下の式（３）に示す様に反応して可溶の塩化亜鉛を生成する。
【００２２】
Ｚｎ２＋  ＋  ２Ｃｌ−  →  ＋  ２ｅ−  （３）
【００２３】
式（３）に従った塩化亜鉛の電気化学的生成に加え、塩素イオンがイオン交換膜１５０を通過する際に、水も塩素イオンと共に流入し、その結果、イオン交換膜１５０の反対側において、追加の水が発生する。この電気動力学的な水の移送は電気浸透圧移送として知られている。活性金属電極１３０を収納する室（電気化学的ポンプ生成物室１２５）に移送された水は、ピストン１２０に圧力を負荷し、流体室１１０内の水を移送する。
【００２４】
塩化亜鉛の連続的な生成による電気化学的ポンプ生成物室１２５内での安定したイオン生成は、浸透圧の効果により更なる水の輸送を導く。ある時間作動させた後に、浸透圧の効果により水の移送が行われ、塩化亜鉛の等濃度の溶液が電気化学的ポンプ生成物室１２５に形成される。電気化学的ポンプ生成物室１２５への水の移送の定常的な流れを電気浸透圧および浸透圧効果の組合せによって達成できる。しかしながら、浸透作用は流体送達装置のスイッチのオン又はオフを素早く行う場合に有利に働かない。
【００２５】
ある実施態様においては、少なくとも流体送達装置内の浸透圧の減少を防止する方法が付与される。例えば、流体送達装置１００は、金属トラップ（金属捕捉部材）１６０を有する。金属トラップ１６０は活性金属電極１３０の周囲に設置される。金属トラップ１６０は、例えば、酸化銀などの無機金属塩化物捕捉剤や、キトサン等の有機錯体などのゲル又はメッシュから成り、電気化学的ポンプ生成物室１２５内の可溶ＺｎＣｌ２生成を減少または除去する。又、別の実施態様では、塩化物または他の金属イオントラップ剤が、電気化学的ポンプ生成物室１２５の内壁面に塗布されていてもよい。
【００２６】
金属から成る少なくとも１つのイオン種または分子種の濃度を減少させる方法として、可溶なＺｎＣｌ２を不溶なＺｎＯ又は炭酸亜鉛に変換する方法である。この方法の１つとしては、電気化学的ポンプ生成物室１２５の内壁面に塗布したＡｇＯ又はＡｇＣＯ３とＺｎＣｌ２とを反応させる方法によって達成される。すなわち、以下の（４）及び（５）式に示す反応が起きる。
【００２７】
ＺｎＣｌ２  ＋  ２ＡｇＯ  →  ＺｎＯ  ＋  ２ＡｇＣｌ  （４）
【００２８】
ＺｎＣｌ２  ＋  ２ＡｇＣＯ３  →  ＺｎＣＯ３  ＋  ２ＡｇＣｌ  （５）
【００２９】
ＺｎＯもＡｇＣｌも不溶であるため、電気化学的ポンプ生成物室１２５内のイオン濃度の増加が減少、または無視し得るものとなり、それによる浸透圧を減少、または除去できる。他の実施態様において、他の酸化物、過酸化物、超酸化物、水酸化物、炭酸塩など１つ又は種々の組合せもＡｇＣｌに代えて又はＡｇＣｌに加えて使用できる。前述の材料は、ある実施態様において、アノード材料として存在させてもよい。または、上記の材料は、アノード材料と一緒に浮遊粉末として存在させてもよく、また、ピストン及び／又は１つ以上のアノード室の内壁面に塗膜を形成して存在させてもよい。もちろん、上記材料をカソード室に使用してもよい。
【００３０】
別の実施態様において、固体沈殿を形成するＺｎＣｌ２の錯体化を行う方法がある。この方法は、種々のＺｎＣｌ２の錯体化剤やゼラチン化剤を使用することにより達成される。そのような剤の１例としては、カルボキシメチルセルロース（ＣＭＣ）が挙げられる。又、他のセルロース系剤としては、キチン又はキトサンがＺｎＣｌ２のゼラチン化剤として使用できる。非セルロース系のＺｎＣｌ２の錯体化剤としては、トリ−ｎ−オクチルフォスフィンオキシド（ＴＯＰＯ）、ＥＤＴＡ、メチオニン、アミン類、ジアミン類、フォスフォネート類、フォスフェート類、ラクトン類、トリフレート類、アミド類またはそれらの組合せが挙げられる。固体沈殿物を形成することにより、室内のイオン活性が減少する。所望であれば、塩水を使用することにより、上述の材料はゲルを形成する。また、ゲルや固体を形成する材料を含有する酸素または窒素の配位子化合物も使用できる。図１に示す態様では、アノード１３０が錯体化によって形成されたゲルに取囲まれている。
【００３１】
図２は他の実施態様である流体送達装置２００を示す。流体送達装置１００と同様に、流体送達装置２００は、ポート２１５と、流体室２１０と、ピストン２２０と、回路２４５を介して連結している活性金属電極（第１電極）２３０と第２電極とから成る。陰イオン交換膜２５０が第１電極２３０と第２電極２４０との間に配置される。しかしながら、この実施態様において、金属トラップ２６０は第２電極２４０を収納する室内に設置されている。ある実施態様において、第２電極２４０は塩化銀から成る電極である。
【００３２】
流体送達装置２００は、装置の浸透圧の形成を減じることなく、患者の体に２価の亜鉛（Ｚｎ（ＩＩ））を露出することを最小または防止する方法を提供する。上述の様に、塩化亜鉛の連続形成による電気化学的ポンプ生成物室２２５内の安定したイオン濃度形成により、浸透圧効果を経て水が輸送される。イオン交換膜２５０で仕切られた２つの室内のイオン濃度の差は、電極２３０に関係する室（室２２５）から電極２４０に関係する室（室２４２）に、イオン交換膜２５０を通じてＺｎＣｌ２を移送する逆拡散の推進力を付与する。イオン交換膜２５０は塩化亜鉛分子の逆拡散を行えるように構成されていてもよい。
【００３３】
逆拡散の度合いは、イオン交換膜の種類と両室内の濃度差による。電極２４０を取囲む溶液が体液と連結している場合、電極１４０は体液と連結するため、ＺｎＣｌ２の蓄積は周囲の組織に対して毒性反応を示したり、カプセル化挙動の影響や、好ましくないたんぱく質の相互作用を引起す可能性がある。そのため、室２４２内のＺｎＣｌ２を捕捉することが望ましい。
【００３４】
この方法としては、上述の種々の方法により達成できる。ＡｇＯを捕捉剤として使用した場合、ＡｇＯを室２４２の内壁面に塗布する方法、カソード２４０のＡｇＣｌに混合させる方法、メッシュの様な多孔質セパレーター内に使用する方法、ＡｇＣｌカソード２４０と体液との間に設置する方法などが挙げられる。更に、酸化銀や他の捕捉剤においてもゲルを形成し、図２に示すようにカソード２４０の周囲を取囲む。
【００３５】
図３は流体送達装置３００の他の実施態様を示す。前述の流体送達装置と同様に、流体送達装置３００はポート３１５を有する流体室３１０と、ピストン３２０と、回路３４５を介して連結する活性金属アノード３３０とカソード３４０とを有する。アノード３３０とカソード３４０との間にはイオン交換膜３５０が配置されている。しかしながら、この実施態様において、カソード３４０はピストン３２０に近接して配置され、イオン交換膜３５０は陽イオン交換膜である。更に、金属トラップ３６０は、亜鉛から成る活性金属アノード３３０の周囲に配置される。従って、流体送達装置３００はＣＡＴＥＫシステムである。
【００３６】
前述の様に、アノード３３０は亜鉛電極であり、埋め込み型装置の場合、体液に露出する。カソード３４０はＡｇＣｌ電極である。形成されるＺｎＣｌ２は前述の種々の方法によって捕捉される。例えば、捕捉ゲル３６０は酸化銀を含有し、ＺｎＣｌ２をゼラチン化または固体沈殿物とするために活性金属アノード３３０を包む様に使用される。
【００３７】
本発明は、本発明の思想および要旨を逸脱しない範囲で種々の変更が可能である。例えば、ここに記載された基本原理は流体送達装置以外にも応用できる。その１例として図４に電源４００を示す。電源４００は回路４４５を介してアノード４３０とカソード４４０とが連結している。ある実施態様では、アノード４３０は金属または金属塩アノードである。流体送達装置としては、電源中の近接溶液中の少なくとも１種のイオン又は分子種の濃度を低減させることが望ましい。少なくとも１種のイオン又は分子種の濃度を低減させるために、電源４００は金属トラップ４６０を有する。金属トラップ４６０は、活性金属電極４３０の周囲に配置される様に図示されるが、前述の種々の金属トラップ及びその方法も使用することが出来る。図４に示す電源は通常何らかのハウジング内に配置されるが、図ではそのハウジングを示していない。
【００３８】
本発明においては数種の代表的な化合物、材料おを示しているが、種々の変更が可能である。例えば、活性金属電極として亜鉛電極を示しているが、マグネシウム、鉄、塩化マンガン、塩化白金またはそれらの組合せ等の他の金属または金属塩も使用できる。更に、カソードとして塩化銀が使用されているが、他の材料、例えば、酸化銀、塩化銅、酸素還元カソード、水素発生カソード又はそれらの組合せ等も使用できる。
【００３９】
更に、ここで示したそれぞれの流体室は、流体を貯蔵する手段である。また、それぞれの流体室に対応したそれぞれのピストンや可動部材は、貯蔵手段から定常的に流体を送出する手段と考えるべきである。更に、電気化学的装置によって発生する金属から成るイオン種または分子種の少なくとも１つの溶液の濃度を減少させる手段の諸例を記載した。上述の流体送達装置の内壁面（または他の置換可能な部材）または電極上の塗膜は、金属から成るイオン種または分子種の少なくとも１つの溶液の濃度を減少させる手段の１例である。更に、他の金属から成るイオン種または分子種の少なくとも１つの溶液の濃度を減少させる手段としては、流体送達装置中の電極と体液との間に配置される多孔質セパレータ又はメッシュである。更に、他の金属から成るイオン種または分子種の少なくとも１つの溶液の濃度を減少させる手段としては、電気化学的装置内の少なくとも１つの電極の近傍に配置される浮遊粉末である。
【００４０】
以上、幾つかの具体的な組成や材料を記載したが、当業者は、更なる詳述を必要とすること無く、上記の記載を最大限に実施することが出来るものである。したがって、上記の実施態様は、本発明の単なる事例であって、本発明の要旨はこれらの実施態様に限定されるものではない。
【００４１】
そして、当業者は、特許請求の範囲から逸脱することなく、上記の実施態様の詳細について種々の変更が可能であることは明らかである。本発明の要旨は特許請求の範囲で規定される。
【図面の簡単な説明】
【００４２】
【図１】アニオン同力学的流体送達装置の金属電極室内の金属塩化物トラップの１実施態様を示すブロック図
【図２】アニオン同力学的流体送達装置の塩化銀電極室内の金属塩化物トラップの１実施態様を示すブロック図
【図３】カチオン同力学的流体送達装置の金属電極室内の金属塩化物トラップの１実施態様を示すブロック図
【図４】カチオン同力学的流体送達装置の塩化銀電極室内の金属塩化物トラップの１実施態様を示すブロック図
【符号の説明】
【００４３】
１００：流体送達装置
１１０：流体室
１１５：ポート
１２０：ピストン（可動部材）
１２５：電気化学的ポンプ生成物室
１３０：活性金属電極
１４０：第２電極
１４５：回路
１５０：イオン交換膜
１６０：金属トラップ
２００：流体送達装置
２１０：流体室
２１５：ポート
２２０：ピストン
２２５：電気化学的ポンプ生成物室
２３０：活性金属電極（第１電極）
２４０：第２電極
２４２：室
２４５：回路
２５０：陰イオン交換膜
２６０：金属トラップ
３００：流体送達装置
３１０：流体室
３１５：ポート
３２０：ピストン
３３０：活性金属アノード
３４０：カソード
３４５：回路
３５０：イオン交換膜
３６０：金属トラップ
４００：電源
４３０：アノード
４４０：カソード
４４５：回路
４６０：金属トラップ
【図１】
2009501619.tif 000003
【図２】
2009501619.tif 000004
【図３】
2009501619.tif 000005
【図４】
2009501619.tif 000006
【国際調査報告】
2009501619.tif 000007